(57)【特許請求の範囲】
【請求項１】
筐体と、
前記筐体の正面に設けられた撮像レンズと、
前記筐体の前記正面とは反対側の背面に設けられた表示部と、
前記筐体の前記正面の前記撮像レンズから離れた位置に設けられ、一次元方向の押下位置及び押圧力を検知して該押下位置及び押圧力に対応する検知信号を出力する圧力検知部と、
前記圧力検知部から出力される前記検知信号に基づいて、前記表示部に表示された画像に対して所定操作を行う画像制御部と
を備え、
前記圧力検知部を前記一次元方向に３つの分割検知部に分割し、一次元方向に並んだ３つの分割検知部の内の中央以外の２つの分割検知部のいずれか一方が所定の押圧力を検知したとき、そのとき押圧力を検知した分割検知部に応じて、前記画像制御部が、前記表示部に表示された画像の拡大又は縮小の操作を行い、
中央の分割検知部が所定の押圧力を検知したとき、前記画像制御部が、前記拡大又は縮小とは異なる画像処理を行うモードに切り替える
画像表示装置。
【請求項２】
前記拡大又は縮小とは異なる画像処理を行うモードは、前記表示部に表示された画像の表示位置を変化させるスクロールモードであり、そのスクロールモードに切り替わった後、前記中央以外の２つの分割検知部での所定の押圧力の検知で、画像のスクロールを行うようにした
請求項１に記載の画像表示装置。
【請求項３】
前記中央以外の２つの分割検知部のいずれか一方が所定の押圧力を検知して、前記画像制御部が、前記表示部に表示された画像の拡大又は縮小の操作を行っている状態から、前記中央の分割検知部が所定の押圧力を検知するように変化したとき、前記スクロールモードへの切り替えを行わないようにした
請求項２に記載の画像表示装置。
【請求項４】
筐体の撮像レンズが設けられた正面と反対側の背面に配置された表示部に所定の画像を表示するステップと、
筐体の正面に設けられた圧力検知部により、一次元方向の押下位置及び押圧力を検知するステップと、
前記圧力検知部を前記一次元方向に３つの分割検知部に分割した３つの分割検知部の内の中央以外の２つの分割検知部のいずれか一方が所定の押圧力を検知したとき、そのとき押圧力を検知した分割検知部に応じて、前記表示部に表示された画像の拡大又は縮小の操作を行うステップと、
中央の分割検知部が所定の押圧力を検知したとき、前記拡大又は縮小とは異なる画像処理を行うモードに切り替えるステップと
を含む画像操作方法。
【請求項５】
前記拡大又は縮小とは異なる画像処理を行うモードは、前記表示部に表示された画像の表示位置を変化させるスクロールモードであり、そのスクロールモードに切り替わった後、前記中央以外の２つの分割検知部での所定の押圧力の検知で、画像のスクロールを行うようにした
請求項４に記載の画像操作方法。
【請求項６】
前記中央以外の２つの分割検知部のいずれか一方が所定の押圧力を検知して、前記表示部に表示された画像の拡大又は縮小の操作を行っている状態から、前記中央の分割検知部が所定の押圧力を検知するように変化したとき、前記スクロールモードへの切り替えを行わないようにした
請求項５に記載の画像操作方法。
【請求項７】
筐体の撮像レンズが設けられた正面と反対側の背面に配置された表示部に所定の画像を表示する処理と、
筐体の正面に設けられた圧力検知部により、一次元方向の押下位置及び押圧力を検知する処理と、
前記圧力検知部を前記一次元方向に３つの分割検知部に分割した３つの分割検知部の内の中央以外の２つの分割検知部のいずれか一方が所定の押圧力を検知したとき、そのとき押圧力を検知した分割検知部に応じて、前記表示部に表示された画像の拡大又は縮小の操作を行う処理と、
中央の分割検知部が所定の押圧力を検知したとき、前記拡大又は縮小とは異なる画像処理を行うモードに切り替える処理と
を画像表示装置に実装して実行させるプログラム。
【請求項８】
前記拡大又は縮小とは異なる画像処理を行うモードは、前記表示部に表示された画像の表示位置を変化させるスクロールモードであり、そのスクロールモードに切り替わった後、前記中央以外の２つの分割検知部での所定の押圧力の検知で、画像のスクロールを行うようにした
請求項７に記載のプログラム。
【請求項９】
前記中央以外の２つの分割検知部のいずれか一方が所定の押圧力を検知して、前記表示部に表示された画像の拡大又は縮小の操作を行っている状態から、前記中央の分割検知部が所定の押圧力を検知するように変化したとき、前記スクロールモードへの切り替えを行わないようにした
請求項８に記載のプログラム。
【発明の詳細な説明】
【技術分野】
【０００１】
本発明は、表示パネルに表示（再生）された画像に対して所定の操作を行うことのできる画像表示装置、その画像操作方法、及び、プログラムに関する。
【背景技術】
【０００２】
一般に、例えばデジタルスチルカメラ等の装置には、画像を表示するための表示パネルが設けられている。このような装置において、ユーザは、例えばカーソルキー等の操作入力手段を用いて表示画像に対して、例えば、画像の拡大操作、縮小操作、スクロール操作等の種々の操作を行う。より具体的には、例えば、選択操作ボタンや決定ボタンなどを十字状に配置して構成されたボタン群を操作することにより、表示画像に対して所定の操作が行われる。
【０００３】
また、従来、表示パネルに表示された画像に対して所定の操作を行う際の操作性を向上させるために様々な技術が提案されている（例えば、特許文献１参照）。
【０００４】
特許文献１には、表示パネルとして感圧式のタッチパネルを用い、ユーザがタッチパネルを押下した際の押圧力に基づいて、表示画像を拡大させる手法が提案されている。
【先行技術文献】
【特許文献】
【０００５】
【特許文献１】特開平４−１５８１６号公報
【発明の概要】
【発明が解決しようとする課題】
【０００６】
しかしながら、上記特許文献１に記載されているような技術では、次のような様々な問題がある。表示パネルに押圧の検知機能が搭載されるので、表示パネルのコストが高くなる。また、表示パネルをユーザの指等で表示パネルを押下することは、表示パネルの破壊モードの一つであるので故障の原因にもなる。さらに、上記特許文献１に記載されているようなタッチパネル操作では、表示画面を直接触れて操作するので直感的な操作は可能であるが、接触させた手で表示画面を遮ってしまうという問題がある。
【０００７】
また、十字状に配置された複数のボタンからなるボタン群を用いて表示画像に対して所定操作を行う場合、所望の機能を実行するまでに多くの操作と、それに伴う指の移動を行わなければならないという問題がある。
【０００８】
本発明は、上記状況に鑑みなされたものである。本発明の目的は、上述した従来の表示画像の操作手法における様々な問題を解決して、表示画像に対して種々の操作を行う際の操作性をより向上させることのできる画像表示装置、画像操作方法及びプログラムを提供することである。
【課題を解決するための手段】
【０００９】
上記課題を解決するために、本発明の画像表示装置は、筐体と、筐体の正面に設けられた撮像レンズと、表示部と、圧力検知部と、画像制御部とを備える構成とし、各部を次のような構成及び機能を有するようにする。表示部は、筐体の正面とは反対側の背面に設けられる。圧力検知部は、筐体の正面の撮像レンズから離れた位置に設けられ、一次元方向の押下位置及び押圧力を検知して該押下位置及び押圧力に対応する検知信号を出力する。そして、画像制御部は、圧力検知部から出力される検知信号に基づいて、表示部に表示された画像に対して所定操作を行う。
さらに、圧力検知部を一次元方向に３つの分割検知部に分割し、一次元方向に並んだ３つの分割検知部の内の中央以外の２つの分割検知部のいずれか一方が所定の押圧力を検知したとき、そのとき押圧力を検知した分割検知部に応じて、画像制御部が、表示部に表示された画像の拡大又は縮小の操作を行う。さらにまた、中央の分割検知部が所定の押圧力を検知したとき、画像制御部が、拡大又は縮小とは異なる画像処理を行うモードに切り替える。
【００１０】
また、本発明の画像操作方法及びプログラムでは、次のようにして処理を行うようにする。まず、筐体の撮像レンズが設けられた正面と反対側の背面に配置された表示部に所定の画像を表示する。次いで、筐体の正面に設けられた圧力検知部により、一次元方向の押下位置及び押圧力を検知する。そして、圧力検知部を一次元方向に３つの分割検知部に分割した３つの分割検知部の内の中央以外の２つの分割検知部のいずれか一方が所定の押圧力を検知したとき、そのとき押圧力を検知した分割検知部に応じて、表示部に表示された画像の拡大又は縮小の操作を行う。さらに、中央の分割検知部が所定の押圧力を検知したとき、拡大又は縮小とは異なる画像処理を行うモードに切り替える。
【発明の効果】
【００１１】
上述のように、本発明では、表示画像の操作に用いる圧力検知部を、筐体を挟んで表示部の裏面に設けるので、表示画像の操作機能をより少ない占有面積で配置することができ、装置のコストを低減することができる。また、本発明では、表示部に直接タッチして画像の所定操作を行わないので、上述したタッチパネルにおける操作上の種々の問題を解決することができる。
【００１２】
さらに、本発明では、ユーザが画像表示装置を掴持した状態において、表示画像を観ながら表示部の裏面で圧力検知部を指で操作し、表示画像に対して所定操作を行うことができるので、より直感的な操作が可能になる。また、本発明では、圧力検知部を指で押下した際の圧力に応じて画像の所定操作が行われるので複雑なボタン操作が不要となり、容易に画像の所定操作を実現することができる。すなわち、本発明によれば、表示画像に対して所定操作を行う際に、その操作性をより向上させることができる。
【図面の簡単な説明】
【００１３】
【図１】本発明の一実施形態に係る撮像装置の外観構成図である。
【図２】本発明の一実施形態に係る撮像装置の側面図である。
【図３】撮像装置の側面部の概略構成図である。
【図４】本発明の一実施形態に係る撮像装置の回路ブロック構成図である。
【図５】操作入力部のブロック構成図である。
【図６】感圧センサの概略構成図である。
【図７】感圧センサの等価回路図である。
【図８】感圧センサから出力される検知電圧と、表示画像の移動速度との関係を示す図である。
【図９】感圧センサから出力される検知電圧と、表示画像の移動速度との別の関係を示す図である。
【図１０】本発明の一実施形態に係る画像操作方法の手順を示すフローチャートである。
【図１１】拡大表示モード時の一動作例を示す図である。
【図１２】スクロールモード時の一動作例を示す図である。
【発明を実施するための形態】
【００１４】
以下に、本発明の実施形態に係る画像表示装置及び画像操作方法の一例を、図面を参照しながら下記の順で説明する。なお、本実施形態では、画像表示装置として、デジタルスチルカメラ（撮像装置）を例に挙げ説明するが、本発明はこれに限定されない。
１．デジタルスチルカメラの構成例
２．表示画像の操作例
【００１５】
＜１．デジタルスチルカメラの構成例＞
［デジタルスチルカメラの外観構成］
まず、本実施形態のデジタルスチルカメラの外観構成を、図１（ａ）及び（ｂ）並びに図２を参照しながら説明する。なお、図１（ａ）は、本実施形態のデジタルスチルカメラ１００の正面図であり、図１（ｂ）は、背面図である。また、図２は、本実施形態のデジタルスチルカメラ１００の側面図である。
【００１６】
デジタルスチルカメラ１００は、図１（ａ）に示すように、カメラ本体１（筐体）と、その一つの側面部（図１（ａ）中では上面部）に設けられたシャッターボタン２（レリーズボタン）と、電源ボタン３とを備える。また、デジタルスチルカメラ１００は、カメラ本体１の正面部に設けられた、フラッシュ４、撮像レンズ５及び感圧センサ６（圧力検知部）を備える。
【００１７】
なお、感圧センサ６は、それに印加された圧力を検知し、その圧力値（押圧力）及び圧力の印加位置（押下位置）に対応する検知信号を出力する。これらの検知信号は、後述する表示パネル７に再生（表示）された画像に対して例えば拡大操作、縮小操作及びスクロール操作等の所定操作を行う際の操作信号として用いられる。なお、感圧センサ６の具体的な内部構成は後で詳述する。
【００１８】
また、感圧センサ６は、カメラ本体１の正面部の表面上に設けられても良いし、カメラ本体１の正面部に開口部を設け、その開口部に感圧センサ６を露出するように設けてもよい。なお、感圧センサ６は、カメラ本体１の正面部であり、且つ、ユーザがデジタルスチルカメラ１００を掴持して画像操作を行う際に指で操作し易い位置であれば任意の位置に配置することができる。
【００１９】
また、デジタルスチルカメラ１００は、図１（ｂ）に示すように、カメラ本体１の背面部に設けられた、表示パネル７（表示部）、カーソル指示ボタン群８、メニューボタン９、表示切り替えボタン１０、画像再生ボタン１１及びズームボタン１２を備える。
【００２０】
表示パネル７は、例えば液晶ディスプレイ（ＬＣＤ）等で構成することができる。また、図１（ｂ）に示す例では、カーソル指示ボタン群８の丸印で示されたボタンが決定ボタンであり、決定ボタンの上下左右に配置された三角印で示された４つのボタンがそれそれぞれ上下左右のカーソル移動ボタンである。また、図１（ｂ）に示すズームボタン１２中の「＋」ボタンはズームアップボタンであり、「−」ボタンはズームダウンボタンである。
【００２１】
さらに、デジタルスチルカメラ１００は、図２に示すように、カメラ本体１の側面部に設けられた、バッテリ挿入部１３、メモリカード挿入部１４、ＵＳＢ（Universal Serial Bus）端子１５及び開閉可能な保護カバー１６を備える。なお、図２には、保護カバー１６を開けた状態の側面図を示す。
【００２２】
ここで、保護カバー１６の構成を、図３を参照しながら説明する。なお、図３は、デジタルスチルカメラ１００の保護カバー１６側の側面部の概略斜視図である。保護カバー１６は、矩形状の形状を有し、バッテリ挿入部１３、メモリカード挿入部１４及びＵＳＢ端子１５を覆うように、デジタルスチルカメラ１００の側面部に設けられる。そして、保護カバー１６の一方の短辺部は、保護カバー１６が一方の短辺部を中心軸にして回転可能になるように、カメラ本体１に取り付けられる。それゆえ、例えば、バッテリ、メモリカード等を入れ替える時や、デジタルスチルカメラ１００をＵＳＢ端子１５を介して外部装置等と接続する時には、保護カバー１６をカメラ本体１に取り付けられた短辺部を中心軸として外側に回転させる。
【００２３】
［デジタルスチルカメラの内部構成］
図４に、本実施形態のデジタルスチルカメラ１００の回路ブロック構成を示す。デジタルスチルカメラ１００は、撮影画像処理部２０と、入出力制御部制御部３８と、メモリカード挿入部１４とを備える。デジタルスチルカメラ１００は、ＣＰＵ（Central Processing Unit）３１と、プログラム用ＲＡＭ（Random Access Memory）３２と、画像用ＲＡＭ３３と、ＲＯＭ（Read Only Memory）３４と、顔検出部３５とを備える。また、デジタルスチルカメラ１００は、操作入力部３０と、感圧センサ６と、表示処理部３６とを備える。そして、デジタルスチルカメラ１００は、制御バス４０を備え、上記各部は、制御バス４０を介して相互に接続される。
【００２４】
撮影画像処理部２０は、主に、撮像レンズ５、撮像素子２１、アナログ信号処理部２２、アナログデジタル変換部２３及びデジタル信号処理部２４で構成される。各部の機能及び動作は次の通りである。
【００２５】
撮像レンズ５は、被写体光を取り込んで撮像素子２１の撮像面（不図示）に結像させる。撮像素子２１は、撮像レンズ５により結像された被写体光を光電変換して画像信号を生成し、生成した画像信号をアナログ信号処理部２２に出力する。アナログ信号処理部２２は、撮像素子２１から出力されたアナログの画像信号に対して種々の処理を施し、処理後の画像信号をアナログデジタル変換部２３に出力する。アナログデジタル変換部２３は、アナログ信号処理部２２で種々の処理が施されたアナログの画像信号をデジタルの画像信号に変換して、そのデジタル変換された画像信号をデジタル信号処理部２４に出力する。そして、デジタル信号処理部２４は、入力されたデジタルの画像信号に対して種々の処理を施し、処理後の画像信号を、制御バス４０を介して例えば表示処理部３６等に出力する。
【００２６】
入出力制御部制御部３８は、メモリカード挿入部１４に接続され、メモリカード挿入部１４に装着されたメモリカード２００に対してデータの記録再生を行う際のデータの入出力を制御する。
【００２７】
ＣＰＵ３１（画像制御部）は、デジタルスチルカメラ１００全体の動作制御を行う。例えば、ＣＰＵ３１は、例えば操作入力部３０から入力された所定の操作信号に基づいて対応する所定の処理を行う。この際、ＣＰＵ３１は、プログラム用ＲＡＭ３２に読み出された所定のプログラムに従って種々の処理を実行する。また、ユーザの感圧センサ６への押下操作に対応する検知信号は、操作入力部３０を介して、ＣＰＵ３１に入力さる。そして、ＣＰＵ３１は、この検知信号に基づいて、ユーザの押下操作に対応する処理を実行する。
【００２８】
プログラム用ＲＡＭ３２及び画像用ＲＡＭ３３は、ＣＰＵ３１が各種の処理を実行する際に必要なプログラムや画像データなどを適宜記憶する。ＲＯＭ３４は、例えば不揮発性のメモリ等により構成され、種々のデータ及びプログラムが格納される。なお、ＲＯＭ３４には、後述する拡大縮小モード時及びスクロールモード時の処理プログラム、操作パラメータ（各種閾値）、並びに、その動作時の操作状態を示す画像（例えば、後述の拡大縮小状態画像、スクロール方向表示画像等）に関するデータも記憶される。また、顔検出部３５は、表示パネル７に表示された画像から人物等の顔を検出する。
【００２９】
操作入力部３０は、ユーザが、例えば、図１（ａ）及び（ｂ）に示すカメラ本体１の設けられた各種操作ボタンに対して所定の操作を行った場合に、その操作を検出し、対応する操作信号（押下情報）をＣＰＵ３１に出力する。例えば、カメラ本体１の設けられたシャッターボタン２、電源ボタン３、カーソル指示ボタン群８等がユーザに押下された際には、その押下情報は、操作入力部３０で検出され、ＣＰＵ３１に出力される。
【００３０】
また、操作入力部３０は、感圧センサ６がユーザにより操作（押下）された場合にも、その操作を検出し、対応する操作信号をＣＰＵ３１に出力する。なお、この際、操作入力部３０は、感圧センサ６から入力される検知信号に基づいて、ユーザにより印加された押圧力及び押下位置を検出（算出）して、それらの情報をＣＰＵ３１に出力する。
【００３１】
図５に、本実施形態の操作入力部３０の内部構成を示す。ただし、図５には、説明を簡略化するため、主に、感圧センサ６から入力される検知信号を処理する要部の構成のみを示す。操作入力部３０は、感圧センサ６の検知信号（電圧信号）に基づいて、押圧力及び押下位置をそれぞれ検出するための圧力検出部４１及び位置検出部４２を備える。
【００３２】
後述するように、本実施形態では、押圧力の検出動作と、押下位置の検出動作を時分割して行う。具体的には、まず押圧力を検出し、その後、押下位置を検出する。また、各検出動作では、後述するように、感圧センサ６の複数の出力ポートが適宜切替えられる。なお、この操作入力部３０における検出動作の切替え操作及び感圧センサ６の出力ポートの選択操作は、ＣＰＵ３１により制御される。そして、圧力検出部４１及び位置検出部４２で検出された押圧力及び押下位置に関する情報は操作信号としてＣＰＵ３１に出力される。
【００３３】
表示処理部３６は、制御バス４０を介して入力された映像信号に対して所定の処理を施して表示画像を生成する映像信号生成処理部３７と、映像信号生成処理部３７で生成された表示画像を表示する表示パネル７とで構成される。
【００３４】
［感圧センサの構成及び動作］
図６（ａ）〜（ｃ）に、本実施形態のデジタルスチルカメラ１００で用いる感圧センサ６の構成例を示す。なお、図６（ａ）は、感圧センサ６の概略断面図であり、図６（ｂ）は、感圧センサ６の基材５０側の電極構成を示す図であり、図６（ｃ）は、カバー部６０側の電極構成を示す図である。ただし、図６（ａ）〜（ｃ）には、感圧センサ６として線形位置センサを用いた例を説明する。
【００３５】
感圧センサ６は、基材５０と、基材５０上に形成された電極群と、カバー部６０と、カバー部６０上に形成された導電層６１とを備える。本実施形態では、基材５０上に形成された電極群と導電層６１とが所定間隔離れて対向するように、基材５０及びカバー部６０が配置される。なお、本実施形態では、カバー部６０側から、指が押下される（図６（ａ）中の白抜き矢印）。
【００３６】
基材５０の一方の表面上には、複数の第１電極５１と、複数の第２電極５２と、印刷抵抗５３と、第１接続電極５４と、第２接続電極５５と、第３接続電極５６とが形成される。また、感圧センサ６は、第１接続電極５４〜第３接続電極５６に電気信号をそれぞれ入出力する３つの電極端子（第１電極端子５７〜第３電極端子５９）を備える。なお、図６（ｂ）に示す例では、第１電極５１及び第２電極５２の本数をそれぞれ４本及び３本とする例を説明したが、本発明はこれに限定されない。例えば押圧力及び押下位置の必要とする検出精度、画像操作の種類数等に応じて各電極の本数は適宜設定される。
【００３７】
第１電極５１及び第２電極５２はともに、基材５０の長手方向に対して直交する方向に延在した直線状の電極である。そして、第１電極５１及び第２電極５２は、基材５０の長手方向に沿って所定間隔離して交互に配置される。すなわち、基材５０上には、複数の第１電極５１及び複数の第２電極５２により櫛形状の電極が形成される。
【００３８】
また、各第１電極５１の短辺側の一方の端部は、第１接続電極５４に接続され、第１接続電極５４の第１電極５１側とは反対側の端部は感圧センサ６の第１電極端子５７に接続される。一方、各第２電極５２の短辺側の一方の端部は、印刷抵抗５３に接続され、印刷抵抗５３の短辺側の両端部には、第２接続電極５５及び第３接続電極５６の一方の端部がそれぞれ接続される。そして、第２接続電極５５及び第３接続電極５６の他方の端部はそれぞれ、第２電極端子５８及び第３電極端子５９に接続される。
【００３９】
一方、カバー部６０上には、矩形状の導電層６１が形成される。導電層６１は、第１電極５１と第２電極５２とが交差する領域を覆うように形成される。なお、カバー部６０は、フレキシブル部材で構成される。
【００４０】
次に、感圧センサ６で押下情報（例えば押圧力及び押下位置等）を検知する際の動作を図６（ａ）〜（ｃ）及び７を参照しながら説明する。なお、図７は、感圧センサ６の等価回路図である。
【００４１】
なお、本実施形態の感圧センサ６の実際の出力端子は、図７に示すように、４つのセンサポート（第１センサポート６７〜第４センサポート７０）で構成される。第２電極端子５８及び第３電極端子５９は、それぞれ第２センサポート６８及び第３センサポート６９に接続されるが、第１電極端子５７は、第１センサポート６７及び第４センサポート７０に接続される。そして、第１電極端子５７と第４センサポート７０との間には、押圧力を検出するための基準抵抗ｒ（図６（ａ）〜（ｃ）では不図示）が設けられる。
【００４２】
上記構成の感圧センサ６では、感圧センサ６のカバー部６０側から指が押下されていない場合、第１電極５１及び第２電極５２間は非導通の状態である。一方、カバー部６０側から指が押下されると、カバー部６０が基材５０側に窪み、導電層６１が第１電極５１及び第２電極５２に接触し、第１電極５１及び第２電極５２間が導通状態となる。この際、導電層６１を介して発生する第１電極５１及び第２電極５２間の抵抗が図８中の抵抗Ｒｆである。また、この際の導電層６１の接触位置から第２電極端子５８までの抵抗が図７中の抵抗Ｒ１であり、導電層６１の接触位置から第３電極端子５９までの抵抗が抵抗Ｒ２である。
【００４３】
本実施形態では、まず、押圧力検出を行う。この際には、感圧センサ６の第２センサポート６８及び第４センサポート７０、または、第３センサポート６９及び第４センサポート７０を押圧力検出用のポートとして選択し、そのポート間に電流を流す。なお、このセンサポートの選択操作及び通電操作はＣＰＵ３１により制御される。
【００４４】
この際、指の押圧力が大きいと、導電層６１と、基材５０上の電極群との接触面積が大きくなり、図７中の抵抗Ｒｆが小さくなる。したがって、本実施形態の感圧センサ６では、指の押圧力に応じて、上記２つのセンサポート間に流れる電流が変化し、基準抵抗ｒの両端間の電圧値、すなわち、第１センサポート６７から検出される電圧値が変化する。そして、本実施形態では、操作入力部３０内の圧力検出部４１は、押圧力検出時に得られる第１センサポート６７の電圧値（検知信号）に基づいて押圧力を算出する。
【００４５】
上述のようにして押圧力を検知した後、押下位置を検出する。ただし、本実施形態では、押下位置の検出を２ステップで行う。なお、各ステップにおけるセンサポートの選択操作及び通電操作はＣＰＵ３１により制御される。
【００４６】
まず、第１ステップでは、感圧センサ６の第２センサポート６８及び第３センサポート６９を押下位置検出用のポートとして選択し、第３センサポート６９から第２センサポート６８に向かって電流を流す。そして、位置検出部４２は、第１センサポート６７の電圧値を検知する。この際、第２センサポート６８及び第３センサポート６９間の電位差をＶとすると、第１センサポート６７の検知電圧Ｖ１は、［Ｒ１／（Ｒ１＋Ｒ２）］Ｖとなる。
【００４７】
次いで、第２ステップでは、第１ステップで選択された第２センサポート６８及び第３センサポート６９間において、第２センサポート６８から第３センサポート６９に向かって電流を流す。そして、位置検出部４２は、第１センサポート６７の電圧値を検知する。この際、第２センサポート６８及び第３センサポート６９間の電位差をＶとすると、第１センサポート６７の検知電圧Ｖ２は、［Ｒ２／（Ｒ１＋Ｒ２）］Ｖとなる。
【００４８】
指の接触位置から第２電極端子５８までの抵抗Ｒ１と、指の接触位置から第３電極端子５９までの抵抗Ｒ２との比は、指の押下位置により変化するので、第１センサポート６７から検出された２つの検知電圧Ｖ１及びＶ２間の比もまた、指の押下位置により変化する。それゆえ、本実施形態では、位置検出部４２は、押下位置検出時に第１センサポート６７から得られる２つの検知電圧Ｖ１及びＶ２の比に基づいて押下位置を算出する。
【００４９】
上述のように、図６（ａ）〜（ｃ）に示す構造の感圧センサ６を用いると、一次元方向の指の押下位置及び押圧力を検出することができる。なお、感圧センサ６は、図６（ａ）〜（ｃ）に示す線形位置センサに限らず、指の押下位置及び圧力を検出できるセンサであれば任意のセンサを用いることができる。
【００５０】
［感圧センサの押圧判定時の動作例］
本実施形態では、実際には、所定の閾値以上の押圧力が感圧センサ６に印加された際に、表示画像の所定操作が行われる。ただし、後述するように、本実施形態では、感圧センサ６の押下操作としては、例えば表示画像の拡大縮小、スクロール等の画像を移動させる操作と、画像の例えば移動方向等を調整する際のなぞり操作との２つがある。なお、なぞり操作は、例えば、感圧センサ６の長手方向に沿って指を押下しながら移動させる操作である。
【００５１】
それゆえ、本実施形態では、操作時の検知電圧の閾値として、画像の移動操作時における検知電圧の閾値（以下、移動動作閾値という）及びなぞり操作時の閾値（以下、なぞり動作閾値という）の２種類用意する。また、本実施形態では、移動動作閾値をなぞり動作閾値より大きくする。画像の例えば移動方向等を調整する際のなぞり操作は、画像を実際に移動させる操作の前処理操作である。それゆえ、なぞり動作閾値を、移動動作閾値より小さくすることにより、画像の移動操作時の押圧力より小さな押圧力で移動操作の前処理操作を行うことができ、ユーザの負担を低減することができる。
【００５２】
また、本実施形態では、表示画像に対して、例えば、拡大、縮小、スクロール等の移動操作を行う際の移動動作閾値を、指が感圧センサ６から離れた状態から感圧センサ６に押下された状態に移行する場合と、その逆の場合とでは異なる値に設定する。
【００５３】
図８に、押圧判定時における感圧センサ６の状態遷移と検知電圧との関係を示す。また、図９に、押圧判定時における感圧センサ６の状態遷移と検知電圧との別の関係を示す。具体的には、図８及び９は、表示画像を拡大・縮小操作する際の表示画像の拡大もしくは縮小速度、または、表示画像をスクロール操作する際の表示画像のスクロール速度と、感圧センサ６での検知電圧との関係を示す図である。図８及び９中の縦軸は、表示パネル７における表示画像の例えば拡大速度、縮小速度及びスクロール速度のいずれか（以下、移動速度という）であり、横軸は感圧センサ６での検知電圧である。
【００５４】
図８に示す例では、感圧センサ６を指で押下した状態（ＯＮ状態）から離した状態（ＯＦＦ状態）への変化（図８中の太矢印７１：以下、ＯＮ−ＯＦＦ遷移７１という）を検知する際の検知電圧の移動動作閾値をＶｔｈ１とする。そして、ＯＮ−ＯＦＦ遷移７１では、検知電圧が移動動作閾値Ｖｔｈ１より大きい場合には、表示画像の移動速度を所定の一定値とし、検知電圧が移動動作閾値Ｖｔｈ１より小さい場合には、表示画像の移動速度を零とする。
【００５５】
また、図８に示す例では、ＯＮ−ＯＦＦ遷移７１とは逆の状態遷移７２（以下、ＯＦＦ−ＯＮ遷移７２という）の場合における検知電圧の移動動作閾値Ｖｔｈ２を、ＯＮ−ＯＦＦ遷移７１の移動動作閾値Ｖｔｈ１より大きくする。そして、ＯＦＦ−ＯＮ遷移７２では、検知電圧が移動動作閾値Ｖｔｈ２より小さい場合には、表示画像の移動速度を零とし、検知電圧が移動動作閾値Ｖｔｈ２より大きい場合には、表示画像の移動速度を所定の一定値とする。すなわち、図８に示す例では、ＯＮ−ＯＦＦ遷移７１及びＯＦＦ−ＯＮ遷移７２のいずれにおいても、検知電圧の閾値前後で、表示画像の移動速度が不連続に変化する。
【００５６】
一方、図９に示す例では、ＯＮ−ＯＦＦ遷移７３における検知電圧の移動動作閾値をＶｔｈ１１とし、検知電圧が移動動作閾値Ｖｔｈ１１より大きい場合には表示画像の移動速度を所定の一定値とする。また、ＯＮ−ＯＦＦ遷移７３において、検知電圧が移動動作閾値Ｖｔｈ１１より小さい場合には、移動速度を直線的に連続して低下させ、移動動作閾値Ｖｔｈ１１より低い所定の電圧値Ｖｔｈ１２で移動速度を零にする。
【００５７】
また、図９に示す例では、ＯＦＦ−ＯＮ遷移７４における検知電圧の移動動作閾値Ｖｔｈ２２を、ＯＮ−ＯＦＦ遷移７３における検知電圧の移動動作閾値Ｖｔｈ１１より大きくする。そして、ＯＦＦ−ＯＮ遷移７４では、検知電圧が移動動作閾値Ｖｔｈ２２より小さい場合には表示画像の移動速度を零とする。また、ＯＦＦ−ＯＮ遷移７４において、検知電圧が移動動作閾値Ｖｔｈ２２より大きい場合には、移動速度を直線的に連続して増加させる。そして、検知電圧が、移動動作閾値Ｖｔｈ２２より高い所定の電圧値Ｖｔｈ２１以上となれば、表示画像の移動速度を所定の一定値とする。すなわち、図９に示す例では、ＯＮ−ＯＦＦ遷移７３及びＯＦＦ−ＯＮ遷移７４のいずれにおいても、検知電圧の閾値前後で、表示画像の移動速度を連続して変化させる。
【００５８】
図８及び９に示すように、押圧判定時における検知電圧の移動動作閾値にヒステリシスを持たせた場合には、感圧センサ６の押圧判定時における例えばチャタリングの影響等を低減することができ、誤動作を抑制することができる。
【００５９】
なお、表示画像の移動速度は、操作の種類に関係なく同じであっても良いし、種類毎に移動速度を変化させてもよい。また、上述した図８及び９のいずれかの検出動作を、操作の種類に関係なく適用しても良いし、操作の種類に応じて、図８及び９の動作を適宜選択して適用するようにしてもよい。
【００６０】
＜２．表示画像の操作例＞
次に、上記実施形態の感圧センサ６を用いて、表示パネル７に表示された画像に対して所定の操作（本実施形態では、拡大縮小操作及び／またはスクロール操作）を行う際の処理例を、図１０を参照しながら説明する。図１０は、本実施形態のデジタルスチルカメラ１００において、表示画像に対してスクロール操作及び／または拡大縮小操作を行う際の処理手順を示すフローチャートである。
【００６１】
なお、本実施形態では、拡大縮小操作のモード（以下、拡大縮小モードという）を、スクロール操作のモード（以下、スクロールモードという）より優先して行うように初期設定されているものとする。
【００６２】
本実施形態では、まず、ユーザにより画像再生ボタン１１が操作（押下）されると、その操作に対応する操作信号に基づいて、表示パネル７は、所定の画像を表示する（ステップＳ１）。これにより、表示画像の操作モードは拡大縮小モードになる。
【００６３】
次いで、ＣＰＵ３１は、ユーザにより感圧センサ６が押下されたか否か判定する（ステップＳ２）。ただし、ステップＳ２では、ＣＰＵ３１は、感圧センサ６から操作入力部３０を介して入力される検知電圧と、拡大・縮小操作時の移動動作閾値とを比較して、上記判定を行う。この際、ＣＰＵ３１は、検知電圧が拡大・縮小操作時の移動動作閾値以上であれば、ユーザにより感圧センサ６が押下されたと判定し、それ以外の場合は、ユーザにより感圧センサ６が押下されていないと判定する。
【００６４】
拡大縮小モードにおいて、ＣＰＵ３１がユーザにより感圧センサ６が押下されていないと判定した場合、ステップＳ２はＮＯ判定となり、ＣＰＵ３１は、ユーザにより感圧センサ６が押下されるまで待機する。
【００６５】
一方、ＣＰＵ３１がユーザにより感圧センサ６が押下されたと判定した場合、ステップＳ２はＹＥＳ判定となる。この場合、ＣＰＵ３１は、感圧センサ６上の押下位置を判別する（ステップＳ３）。具体的には、操作入力部３０の位置検出部４２が、感圧センサ６からの出力信号に基づいて感圧センサ６上の押下位置を、上記算出原理に従って算出し、その算出結果をＣＰＵ３１に出力する。そして、ＣＰＵ３１は、その算出結果に基づいて、押下位置を判別する。
【００６６】
そして、ＣＰＵ３１は、ステップＳ３で判別した押下位置の情報に基づいて映像信号生成処理部３７を制御し、表示画像の拡大操作（ステップＳ４）、縮小操作（ステップＳ５）及び操作モードの切替え操作（ステップＳ６）のいずれかを実行する。
【００６７】
ここで、図１１（ａ）及び（ｂ）に、拡大縮小モード時における本実施形態のデジタルスチルカメラ１００の動作の様子を示す。なお、図１１（ａ）及び（ｂ）は、それぞれ、拡大縮小モード時におけるデジタルスチルカメラ１００の正面図及び背面図である。
【００６８】
本実施形態では、感圧センサ６上の押下位置を、図１１（ａ）中の破線で区画された３つのエリアＡ〜Ｃで判別する例を説明する。そして、拡大縮小モードにおいて、感圧センサ６の撮像レンズ５から最も遠いエリアＡをユーザが押下した場合（図１１（ａ）中の矢印Ａ１）には、ＣＰＵ３１は、表示パネル７の表示画像８０が拡大操作されるように制御する。逆に、感圧センサ６の撮像レンズ５に最も近いエリアＣをユーザが押下した場合（図１１（ａ）中の矢印Ａ３）には、ＣＰＵ３１は、表示画像８０が縮小操作されるように制御する。そして、エリアＡ及びＣ間のエリアＢをユーザが押下した場合（図１１（ａ）中の矢印Ａ２）には、ＣＰＵ３１は、操作モードをスクロールモードに変更する操作を行う。
【００６９】
それゆえ、ステップＳ３で、ＣＰＵ３１が、押下位置がエリアＡであると判別した場合には、表示パネル７は、表示画像８０を拡大表示する（ステップＳ４）。また、ステップＳ３で、ＣＰＵ３１が、押下位置がエリアＣであると判別した場合には、表示パネル７は、表示画像８０を縮小表示する（ステップＳ５）。
【００７０】
なお、本実施形態では、ステップＳ４及びＳ５において、図１１（ｂ）に示すように、表示画像８０上に、画像の全体領域８１ａと表示領域８１ｂとの関係を示す拡大縮小状態画像８１を表示する。
【００７１】
また、ステップＳ４及びＳ５において、ユーザが感圧センサ６のエリアＡまたはＣを押下している間、表示パネル７は表示画像８０を拡大または縮小し続ける。この際、感圧センサ６の検知電圧と、画像の拡大または縮小の移動速度（移動量）との間に、図８に示す関係がある場合、表示画像８０は一定の移動量（移動速度）で拡大または縮小する。また、感圧センサ６の検知電圧と、画像の拡大または縮小の移動速度との間に、図９に示す関係がある場合には、検知電圧が移動動作閾値から所定の電圧値までの範囲内であれば、検知電圧に応じて連続的に画像の拡大または縮小速度が変化する。
【００７２】
また、ステップＳ３で、ＣＰＵ３１が、押下位置がエリアＢであると判別した場合には、ＣＰＵ３１は、表示画像８０の操作モードをスクロールモードに切替える（ステップＳ６）。ただし、ステップＳ３において、感圧センサ６が押圧された状態で押下エリアがエリアＢに変更された場合、例えば、エリアＡからエリアＢになぞるようしてエリアＢが押下された場合には、その操作は無効とし、モード切替え（ステップＳ６）は行わない。
【００７３】
そして、表示画像８０の操作モードがスクロールモードに切り替った後、ＣＰＵ３１は、ユーザにより感圧センサ６が押下されたか否か判定する（ステップＳ７）。ただし、ステップＳ７では、ＣＰＵ３１は、上記ステップＳ２と同様にして、感圧センサ６から出力される検知電圧とスクロール操作時の移動動作閾値とを比較して、上記判定を行う。この際、ＣＰＵ３１は、検知電圧がスクロール操作時の移動動作閾値以上であれば、ユーザにより感圧センサ６が押下されたと判定し、それ以外の場合は、ユーザにより感圧センサ６が押下されていないと判定する。
【００７４】
スクロールモードにおいて、検知電圧が移動動作閾値以上である場合、ステップＳ７はＹＥＳ判定となる。この場合、ＣＰＵ３１は、上記ステップＳ３と同様にして、感圧センサ６上の押下位置を判別する（ステップＳ８）。
【００７５】
そして、ＣＰＵ３１は、ステップＳ８で判別した押下位置の情報に基づいて映像信号生成処理部３７を制御し、表示画像８０のスクロール操作（ステップＳ９）または操作モードの切替え操作（ステップＳ１０）を実行する。
【００７６】
ここで、図１２（ａ）及び（ｂ）に、スクロールモード時における本実施形態のデジタルスチルカメラ１００の動作の様子を示す。なお、図１２（ａ）及び（ｂ）は、それぞれ、スクロールモード時におけるデジタルスチルカメラ１００の正面図及び背面図である。また、本実施形態では、図１２（ｂ）に示すように、スクロールモード時には、表示画像８０上に、画像のスクロール方向を示す矢印画像８２ａとその先端の軌跡を示す円画像８２ｂとからなるスクロール方向表示画像８２を表示する。このように、操作モードが切り替わった際に画面表示仕様を遷移させることにより、操作モードの変更完了がより認識し易くなる。
【００７７】
図１２（ａ）及び（ｂ）に示す例において、ステップＳ８で、ユーザが感圧センサ６のエリアＡを押下した（図１２（ａ）中の矢印Ａ１）と判別された場合、ＣＰＵ３１は、表示画像８０を一方の方向に移動（スクロール）する（ステップＳ９）。また、ステップ８で、ユーザが感圧センサ６のエリアＣを押下した（図１２（ａ）中の矢印Ａ３）と判別された場合には、ＣＰＵ３１は、表示画像８０を他方の方向にスクロールする（ステップＳ９）。そして、ステップＳ９後は、ステップＳ７の処理に戻る。
【００７８】
なお、ステップＳ９における画像の移動方向（スクロール方向）は、初期設定された方向または後述するなぞり操作で決定された方向となる。初期設定されたスクロール方向が表示パネル７の上下方向である場合には、ステップＳ９で、表示画像８０は上下方向にスクロールされる。また、初期設定されたスクロール方向が表示パネル７の左右方向である場合には、ステップＳ９で、表示画像８０は左右方向にスクロールされる。
【００７９】
また、ステップＳ９において、表示パネル７は、ユーザが感圧センサ６のエリアＡまたはエリアＣを押下している間、表示画像８０をスクロールし続ける。この際、感圧センサ６の検知電圧と、画像のスクロール速度（移動速度）との間に、図８に示す関係がある場合、表示画像８０は一定速度で移動する。また、感圧センサ６の検知電圧と、画像のスクロール速度との間に、図９に示す関係がある場合には、検知電圧が移動動作閾値から所定の電圧値までの範囲内であれば、検知電圧に応じて連続的に画像のスクロール速度が変化する。
【００８０】
また、ステップＳ８で、ユーザが感圧センサ６のエリアＢを押下した（図１２（ａ）中の矢印Ａ２）と判別された場合、ＣＰＵ３１は、表示画像８０の操作モードを拡大縮小モードに切替える（ステップＳ１０）。その後は、ステップＳ１に戻って、上述した拡大縮小モードの処理を行う。ただし、ステップＳ８において、感圧センサ６が押圧された状態で押下エリアがエリアＢに変更された場合、例えば、エリアＡからエリアＢになぞるようしてエリアＢが押下された場合には、その操作は無効とし、モード切替え（ステップＳ１０）は行わない。
【００８１】
次に、ステップＳ７で、検知電圧がスクロール操作時の移動動作閾値以上でない場合、すなわち、ステップＳ７がＮＯ判定となった場合の動作を説明する。
【００８２】
この場合は、ＣＰＵ３１は、なぞり操作が行われているか否かを判定する（ステップＳ１１）。具体的には、ＣＰＵ３１は、感圧センサ６から操作入力部３０を介して入力される検知電圧がなぞり動作閾値（＜移動動作閾値）以上であり、且つ、押下位置が連続的に変化しているか否かを判定する。この２つの条件を満たさない場合、ステップＳ１１はＮＯ判定となる。この場合には、ステップＳ７に戻り、ユーザにより感圧センサ６が押下されるまで待機する。
【００８３】
検知電圧がなぞり動作閾値以上であり、且つ、押下位置が連続的に変化している場合、ＣＰＵ３１は、なぞり操作（図１２（ａ）中の矢印Ａ４の操作）が行われていると判定し、ステップＳ１１はＹＥＳ判定となる。この場合、ＣＰＵ３１は、所定の単位時間Δｔにおける押下位置の移動量及び移動方向を算出し、その算出結果に基づいてスクロール方向を調整する（ステップＳ１２）。ただし、ステップＳ１２で用いる所定の単位時間Δｔは、例えば用途、必要とする調整感度等に応じて適宜設定される。
【００８４】
ここで、ステップＳ１２の処理をより具体的に説明すると、まず、ＣＰＵ３１は、感圧センサ６から操作入力部３０を介して入力される検知電圧に基づいて、所定の単位時間Δｔにおける押下位置の移動量及び移動方向の情報を算出する。次いで、ＣＰＵ３１は、押下位置の移動量及び移動方向の情報を相対回転角度の情報に変換する。次いで、ＣＰＵ３１は、その相対回転角度の情報に基づいて、表示パネル７に表示されるスクロール方向表示画像８２の矢印画像８２ａの方向（スクロール方向）を調整する。そして、スクロール方向の調整が終了した時点（単位時間Δｔにおける押下位置の移動量が零になった時点）における矢印画像８２ａが指し示す方向が最終決定されたスクロール方向（図１２（ｂ）中の矢印Ａ５）となる。
【００８５】
なお、ステップＳ１２において、例えば、所定の単位時間Δｔにおける押下位置の移動方向がエリアＡからエリアＣに向かう方向であれば、スクロール方向表示画像８２の矢印画像８２ａを反時計回りに回転させる。逆に、所定の単位時間Δｔにおける押下位置の移動方向がエリアＣからエリアＡに向かう方向であれば、スクロール方向表示画像８２の矢印画像８２ａを時計回りに回転させる。また、なぞり操作の方向と矢印画像８２ａの回転方向との関係を上記関係と逆にしてもよい。
【００８６】
上記ステップＳ１２でスクロール方向が調整された後は、ステップＳ７に戻り、上述したスクロールモードの処理が繰り返される。本実施形態では、このようにして、表示画像８０に対して拡大縮小操作及び／またはスクロール操作を行う。
【００８７】
上記図１１（ａ）及び（ｂ）、並びに、図１２（ａ）及び（ｂ）に示す例では、感圧センサ６の押下位置を一次元状に配列された３つのエリアに分割する例を説明したが、本発明はこれに限定されない。押下位置のエリア数及びエリアの配置形態は、例えば、用途、画像操作の種類数等に応じて適宜変更できる。
【００８８】
上述のように、本実施形態のデジタルスチルカメラ１００では、カメラ本体１を挟んで表示パネル７の裏面（カメラ本体１の正面部）に設けられた感圧センサ６で検出される一次元の押下位置情報及び圧力情報だけで、表示画像に対して種々の操作を行う。それゆえ、本実施形態では、表示画像に対して上述した種々の操作を行う際、ユーザは、デジタルスチルカメラ１００を片手でグリップしながら容易に所定操作を行うことができる。また、この際、感圧センサ６がカメラ本体１を挟んで表示パネル７の裏面に配置されているので、表示画像を手で遮ることなく所定操作を行うことができる。すなわち、本実施形態のデジタルスチルカメラ１００では、表示画像に対して所定操作を行う際に、より直感的な操作が可能になる。
【００８９】
また、本実施形態では、上記種々の操作に伴う指の移動領域は、感圧センサ６上のみになる。それゆえ、本実施形態では、操作時における指の操作移動量も低減することができるので、ユーザの操作負担を軽減することもできる。
【００９０】
さらに、本実施形態のデジタルスチルカメラ１００では、感圧センサ６を、カメラ本体１の表示パネル７側とは反対側の面（裏面）に取り付ける。それゆえ、本実施形態では、感圧センサ６の占有面積も低減することができ、表示パネル７に感圧タッチパネルを適用する場合に比べて、コストを低減することができる。また、本実施形態では、タッチパネルにおけるドラッグ操作で問題となる、指による画面の遮りや表示パネルへの指紋の付着等を気にすることなく表示画像に対して所定の操作を行うことができる。
【００９１】
なお、上記実施形態では、表示画像に対する操作として拡大・縮小操作及びスクロール操作を例に挙げ説明したが、本発明はこれに限定されない。例えば、拡大・縮小操作及びスクロール操作のいずれか一方の操作のみを行うようにしてもよい。
【００９２】
また、本発明は、表示パネル７内で表示画像を移動させる任意の操作に適用可能である。例えば、表示画像を表示パネル７内で回転させる場合にも本発明は適用可能である。この場合、例えば、図１１（ａ）に示す例では、感圧センサ６のエリアＢを操作モードの切替えエリアとし、エリアＡ及びＣの一方を時計方向の回転操作エリアとし、他方を反時計方向の回転操作エリアにすればよい。
【００９３】
また、例えば、本発明は、表示パネル７で複数の表示画像をスライド表示するような操作にも適用可能である。この場合、例えば、図１１（ａ）に示す例では、感圧センサ６のエリアＢを操作モードの切替えエリアとし、エリアＡ及びＣの一方を、画像を一方の方向に画像をスライドする操作エリアとし、他方を、画像を他方の方向にスライドする操作エリアにすればよい。
【００９４】
上記実施形態では、画像表示装置として、表示パネルを備えるデジタルスチルカメラを例に挙げ説明したが、本発明は、これに限定されない。表示パネル等に再生された表示画像に対して上述のような種々の操作を行う機能を備える装置であれば、任意の装置に適用することができる。
【００９５】
また、上記実施形態では、本発明による画像表示処理を実行するプログラムが予め画像表示装置（デジタルスチルカメラ）に実装されている例を説明したが、本発明は、これに限定されない。本発明による画像表示処理を実行するプログラムを外部から別途、画像表示装置に実装して上記画像表示処理を実行する構成にしてもよい。この場合、本発明の画像表示処理を実行するプログラムは、光ディスクや半導体メモリなどの媒体で配布する他に、インターネットなどの伝送手段を介してダウンロードさせる構成としてもよい。
【符号の説明】
【００９６】
１…カメラ本体、２…シャッターボタン、３…電源ボタン、４…フラッシュ、５…撮像レンズ、６…感圧センサ、７…表示パネル、８…カーソル指示ボタン群、９…メニューボタン、１０…表示切り替えボタン、１１…画像再生ボタン、１２…ズームボタン、１３…バッテリ挿入部、１４…メモリカード挿入部、１５…ＵＳＢ端子、１６…保護カバー、２０…撮影画像処理部、３０…操作入力部、３１…ＣＰＵ、３２…プログラム用ＲＡＭ、３３…画像用ＲＡＭ、３４…ＲＯＭ、３６…表示処理部、３７…映像信号生成処理部、４１…圧力検出部、４２…位置検出部、１００…デジタルスチルカメラ
【図１】
0005560796.tif 000002
【図２】
0005560796.tif 000003
【図３】
0005560796.tif 000004
【図４】
0005560796.tif 000005
【図５】
0005560796.tif 000006
【図６】
0005560796.tif 000007
【図７】
0005560796.tif 000008
【図８】
0005560796.tif 000009
【図９】
0005560796.tif 000010
【図１０】
0005560796.tif 000011
【図１１】
0005560796.tif 000012
【図１２】
0005560796.tif 000013